(57)【特許請求の範囲】
【請求項１】
計測対象物と非計測対象物とを含む組織を染色して撮像した画像から組織領域を認識する組織領域認識手段と、
前記組織領域から複数の部分画像を抽出する部分画像抽出手段と、
前記部分画像ごとに、前記非計測対象物が存在する領域である非計測対象領域を前記組織領域から除くためのマスクを生成するマスク生成手段と、
前記部分画像ごとに生成された前記マスクを統合した仮全体マスクを生成し、前記組織領域において当該仮全体マスクによって除かれない、マスクされていない部分のうち近接する当該部分をまとめて１つ以上の対象領域とした全体マスクを生成する全体マスク生成手段と、
前記部分画像ごとに、当該画像に含まれる計測対象物に関する情報を計測する計測手段と、
前記計測手段により計測された情報と前記全体マスクとから、前記対象領域ごとに計測対象物に関する情報を算出する領域情報算出手段とを備えた
ことを特徴とする画像計測装置。
【請求項２】
前記計測手段は、前記部分画像ごとに、染色強度別の細胞核数を計測し、
前記領域情報算出手段は、計測された染色強度別の細胞核数と全体マスクとから、対象領域ごとに染色強度別の細胞核数の計測結果を算出する
請求項１記載の画像計測装置。
【請求項３】
前記計測手段は、前記部分画像ごとに、染色強度別の細胞核数を計測し、
前記領域情報算出手段は、前記計測手段により計測された染色強度別の細胞核数と全体マスクとから、対象領域ごとに陽性率を算出する
請求項１または請求項２記載の画像計測装置。
【請求項４】
前記領域情報算出手段により算出された対象領域ごとの計測対象物に関する情報を、組織を染色して撮像した画像とともに、前記対象領域に対応づけて出力する出力手段を備えた
請求項１から請求項３のうちのいずれか１項に記載の画像計測装置。
【請求項５】
計測対象物と非計測対象物とを含む組織を染色して撮像した画像から組織領域を認識し、
前記組織領域から複数の部分画像を抽出し、
前記部分画像ごとに、前記非計測対象物が存在する領域である非計測対象領域を前記組織領域から除くためのマスクを生成し、
前記部分画像ごとに生成された前記マスクを統合した仮全体マスクを生成し、
前記組織領域において当該仮全体マスクによって除かれない、マスクされていない部分のうち近接する当該部分をまとめて１つ以上の対象領域とした全体マスクを生成し、
前記部分画像ごとに、当該画像に含まれる計測対象物に関する情報を計測し、
計測された情報と前記全体マスクとから、前記対象領域ごとに計測対象物に関する情報を算出する
ことを特徴とする画像計測方法。
【請求項６】
前記部分画像ごとに、染色強度別の細胞核数を計測し、
計測された染色強度別の細胞核数と全体マスクとから、対象領域ごとに染色強度別の細胞核数の計測結果を算出する
請求項５記載の画像計測方法。
【請求項７】
前記部分画像ごとに、染色強度別の細胞核数を計測し、
計測された染色強度別の細胞核数と全体マスクとから、対象領域ごとに陽性率を算出する
請求項５または請求項６記載の画像計測装置。
【請求項８】
コンピュータに、
計測対象物と非計測対象物とを含む組織を染色して撮像した画像から組織領域を認識する組織領域認識処理、
前記組織領域から複数の部分画像を抽出する部分画像抽出処理、
前記部分画像ごとに、前記非計測対象物が存在する領域である非計測対象領域を前記組織領域から除くためのマスクを生成するマスク生成処理、
前記部分画像ごとに生成された前記マスクを統合した仮全体マスクを生成し、前記組織領域において当該仮全体マスクによって除かれない、マスクされていない部分のうち近接する当該部分をまとめて１つ以上の対象領域とした全体マスクを生成する全体マスク生成処理、
前記部分画像ごとに、当該画像に含まれる計測対象物に関する情報を計測する計測処理、および、
前記計測処理により計測された情報と前記全体マスクとから、前記対象領域ごとに計測対象物に関する情報を算出する領域情報算出処理
を実行させるための画像計測用プログラム。
【請求項９】
コンピュータに、
前記計測処理で、前記部分画像ごとに、染色強度別の細胞核数を計測させ、
前記領域情報算出処理で、計測された染色強度別の細胞核数と全体マスクとから、対象領域ごとに染色強度別の細胞核数の計測結果を算出させる
請求項８記載の画像計測用プログラム。
【請求項１０】
コンピュータに、
前記計測処理で、前記部分画像ごとに、染色強度別の細胞核数を計測させ、
前記領域情報算出処理で、計測された染色強度別の細胞核数と全体マスクとから、対象領域ごとに陽性率を算出させる
請求項８または請求項９記載の画像計測用プログラム。
【発明の詳細な説明】
【技術分野】
【０００１】
本発明は、染色された組織標本の画像から、組織に含まれる対象物の情報を計測する画像計測装置、画像計測方法、および、画像計測用プログラムに関する。
【背景技術】
【０００２】
免疫染色病理組織標本（ＩＨＣ（Immuno-histochemistry ）標本）の画像から、対象（例えば、癌など）とする領域に含まれる細胞核数を計測することが行われている。一般に、技師や病理医などのユーザが、ＩＨＣ標本の画像から計測対象の領域を指定すると、画像を計測するシステムが、例えば、指定された領域内の細胞核数を染色強度別に計測する。【０００３】
非特許文献１には、学習した細胞核と同等の細胞核を標本の組織領域全域から自動で認識する方法が記載されている。また、非特許文献２には、非特許文献１に記載された方法によって自動で認識した細胞核に対し、染色強度を判断し染色強度別の細胞核数を算出する方法が記載されている。【０００４】
図５は、非特許文献１に記載された方法による計測対象の認識結果を示す説明図である。図５は、指定された計測対象の組織を認識した結果が個々に表示されていることを示す。【０００５】
なお、特許文献１には、染色陽性細胞含有率を算出する乳癌病理画像診断支援システムが記載されている。特許文献１に記載されたシステムは、ＨＥ（Hematoxylin and Eosin stain ）染色画像から取得された腫瘍領域とＩＨＣ画像における腫瘍領域とをマッチングさせ、特定されたＩＨＣ画像における腫瘍領域の情報に基づいて、腫瘍領域内の染色陽性細胞含有率を算出する。
【先行技術文献】
【特許文献】
【０００６】
【特許文献１】国際公開ＷＯ２００８／１０８０５９号公報
【非特許文献】
【０００７】
【非特許文献１】Aperio, "GENIE TISSUE PATTERN RECOGNITION", ［online］, ［平成24年4月10日検索］, インターネット〈URL：http://www.aperio.com/imageanalysis/Genie-Histology.asp〉
【非特許文献２】Kate Lillard-Wetherell, Ph.D.,"Automated selection and analysis of tumor regions in breast sections stained with nuclear IHC biomarkers", APERIO, APERIO APPLICATION NOTE, October 2008.
【発明の概要】
【発明が解決しようとする課題】
【０００８】
一般的な方法では、例えば、対象とする領域内の細胞核数を計測する場合、ユーザがＩＨＣ標本の画像から計測対象を認識し、その計測対象の領域を指定しなければならず、手間がかかるという課題がある。【０００９】
また、非特許文献２に記載された方法を用いて組織領域全体を計測対象として指定した場合、算出結果として得られる細胞核個々の染色強度もしくは陽性・陰性などの数値は、組織領域全体で合計された１つの値として利用されることになる。この場合、例えば、癌を示す各領域の染色不均一性（heterogeneity）を数値として観察することはできない。【００１０】
例えば、非特許文献１に記載された方法による認識結果を参照することで、ＩＨＣ標本の画像から計測対象の細胞核個々の分布を把握することは可能である。しかし、図５に示す情報だけでは、領域の染色性など、認識された計測対象の領域がどのような意味をもつかをユーザが理解することは困難である。【００１１】
そこで、本発明は、組織標本を表す画像から、ユーザにとって理解しやすい態様で対象物の領域が示す内容を計測できる画像計測装置、画像計測方法、および、画像計測用プログラムを提供することを目的とする。
【課題を解決するための手段】
【００１２】
本発明による画像計測装置は、計測対象物と非計測対象物とを含む組織を染色して撮像した画像から組織領域を認識する組織領域認識手段と、組織領域から予め定めた大きさの一定倍率の画像を抽出する部分画像抽出手段と、抽出された画像ごとに、非計測対象物が存在する領域である非計測対象領域を組織領域から除くためのマスクを生成するマスク生成手段と、画像ごとに生成されたマスクを統合した仮全体マスクを生成し、その仮全体マスクにおけるマスクされていない部分のうち近接するその部分をまとめて１つ以上の対象領域とした全体マスクを生成する全体マスク生成手段と、部分画像抽出手段によって抽出された画像ごとに、その画像に含まれる計測対象物に関する情報を計測する計測手段と、計測された情報と全体マスクとから、対象領域ごとに計測対象物に関する情報を算出する領域情報算出手段とを備えたことを特徴とする。【００１３】
本発明による画像計測方法は、計測対象物と非計測対象物とを含む組織を染色して撮像した画像から組織領域を認識し、組織領域から予め定めた大きさの一定倍率の画像を抽出し、抽出された画像ごとに、非計測対象物が存在する領域である非計測対象領域を組織領域から除くためのマスクを生成し、画像ごとに生成されたマスクを統合した仮全体マスクを生成し、仮全体マスクにおけるマスクされていない部分のうち近接するその部分をまとめて１つ以上の対象領域とした全体マスクを生成し、組織領域から抽出された画像ごとに、その画像に含まれる計測対象物に関する情報を計測し、計測された情報と全体マスクとから、対象領域ごとに計測対象物に関する情報を算出することを特徴とする。【００１４】
本発明による画像計測用プログラムは、コンピュータに、計測対象物と非計測対象物とを含む組織を染色して撮像した画像から組織領域を認識する組織領域認識処理、組織領域から予め定めた大きさの一定倍率の画像を抽出する部分画像抽出処理、抽出された画像ごとに、非計測対象物が存在する領域である非計測対象領域を組織領域から除くためのマスクを生成するマスク生成処理、画像ごとに生成されたマスクを統合した仮全体マスクを生成し、その仮全体マスクにおけるマスクされていない部分のうち近接するその部分をまとめて１つ以上の対象領域とした全体マスクを生成する全体マスク生成処理、部分画像抽出処理で抽出された画像ごとに、その画像に含まれる計測対象物に関する情報を計測する計測処理、および、計測された情報と全体マスクとから、対象領域ごとに計測対象物に関する情報を算出する領域情報算出処理を実行させることを特徴とする。
【発明の効果】
【００１５】
本発明によれば、組織標本を表す画像から、ユーザにとって理解しやすい態様で対象物の領域が示す内容を計測できる。
【図面の簡単な説明】
【００１６】
【図１】本発明による画像計測装置の一実施形態を示すブロック図である。
【図２】結果表示部による出力結果の一例を示す説明図である。
【図３】計測対象を示す領域ごとに陽性率を表示する動作の例を示す説明図である。
【図４】本発明による画像計測装置の概要を示すブロック図である。
【図５】非特許文献１に記載された方法による計測対象の認識結果を示す説明図である。
【発明を実施するための形態】
【００１７】
以下、本発明の実施形態を図面を参照して説明する。
【００１８】
図１は、本発明による画像計測装置の一実施形態を示すブロック図である。本実施形態の画像計測装置は、画像蓄積部１と、組織領域認識部２と、組織領域切り出し部３と、マスク生成部４と、マスク統合部５と、細胞核数計測部６と、結果表示部７とを備えている。
【００１９】
画像蓄積部１は、組織標本をスキャンした画像Ｓ００１を記憶する。組織標本をスキャンした画像は、例えば、免疫染色病理組織標本の画像などである。組織標本画像には、様々な構造物が含まれる。構造物の例としては、癌領域（浸潤の有無を区別しない癌領域）、浸潤のある癌領域、浸潤のない癌領域、良性疾患領域、病変ではない正常の領域、腺管領域、血管領域、リンパ管領域、上皮領域、間質領域、リンパ球、アーチファクト領域、壊死領域、脂肪領域などが挙げられる。ただし、構造物は、これらの内容に限定されない。
【００２０】
これらの構造物のうち、システムの目的によって、計測対象の構造物（以下、計測対象物と記す。）と、非計測対象の構造物（以下、非計測対象物と記す。）とが予め定められる。例えば、「浸潤のない癌領域」が、システムの目的に応じて計測対象物にもなり、非計測対象物にもなる。画像蓄積部１は、例えば、磁気ディスク等により実現される。
【００２１】
本実施形態では、画像計測装置が画像蓄積部１を備える場合を例に説明する。なお、画像計測装置が他の装置から組織標本を撮像した画像を受信するようにしてもよい。この場合、画像計測装置は、画像蓄積部１を備えていなくてもよい。
【００２２】
組織領域認識部２は、画像蓄積部１に記憶された画像Ｓ００１から、組織全領域Ｓ００２（組織領域と記すこともある。）を認識する。一般に、組織標本画像には、上述する計測対象物と非計測対象物以外にも、組織標本画像ではない領域（例えば、スライドグラスなど）を含む。そこで、組織領域認識部２は、画像Ｓ００１から組織標本画像ではない部分を除くことで、組織領域を認識してもよい。
【００２３】
組織領域切り出し部３は、組織領域認識部２が認識した組織全領域Ｓ００２の画像を、固定サイズの一定倍率の画像Ｓ００３に切り出す。具体的には、組織領域切り出し部３は、組織領域から予め定めたサイズで一定倍率の画像Ｓ００３を抽出する。
【００２４】
マスク生成部４は、組織領域切り出し部３が切り出した画像（すなわち、画像Ｓ００３）ごとに非計測対象物が存在する領域（以下、非計測対象領域と記す。）を認識して、マスクＳ００４を算出する。具体的には、マスク生成部４は、切り出された画像ごとに、組織領域から非計測対象領域を除くためのマスクＳ００４を生成する。例えば、間質細胞が非計測対象物である場合、マスク生成部４は、画像Ｓ００３ごとに間質細胞を含む領域を認識してマスクを算出してもよい。
【００２５】
以下、切り出された画像ごとにマスクを生成する方法を、間質細胞が非計測対象物である場合を例に説明する。一般に、組織標本画像は、カラー画像である場合が多い。そこで、マスク生成部４は、組織標本画像をグレースケール画像に変換する。マスク生成部４は、変換されたグレースケール画像に対して、ガウシアンフィルタなどの平滑化処理を行う。これにより、計測対象物の領域では濃度差が減少して、全体が１つの塊になる。一方、間質領域では、輝度値の高い周囲の画素の影響を受けて、染色された離散する間質細胞核が高い輝度値に変化する。
【００２６】
マスク生成部４は、平滑化処理された画像の輝度値ヒストグラムを生成し、間質領域と計測対象物の領域を分離するための閾値を算出する。マスク生成部４は、例えば、動的計画法により閾値を算出してもよい。マスク生成部４は、この閾値に基づいて２値化処理を行うことでマスクを生成する。
【００２７】
なお、マスクを生成する方法は、上記方法に限定されない。組織標本画像（組織領域）に含まれる非計測対象が存在する領域を特定可能な方法であれば、マスク生成部４は、他の方法を用いてマスクを生成してもよい。
【００２８】
マスク統合部５は、切り出した画像ごとに算出したマスク全体を統合することにより、組織全領域に対応した全体マスクＳ００５を生成する。
【００２９】
具体的には、マスク統合部５は、切り出された画像ごとに生成されたマスクを統合する。以下、この統合されたマスクを仮全体マスクと記す。マスク統合部５は、仮全体マスクの中のマスクされていない部分のうち、近接する部分をまとめて１つ以上の対象領域とした全体マスクを生成する。
【００３０】
マスクされていない部分は、組織標本画像では計測対象の部分に相当する。そのため、近接するマスクされていない部分をまとめることは、組織標本画像において近接する計測対象の部分をまとめること意味する。このようにして、組織標本画像の中の計測対象が、いくつかの対象領域にまとめられることになる。言い換えると、マスク統合部５は、このような対象領域を生成することにより、組織標本画像を意味ある領域ごとにまとめていると言うことができる。
【００３１】
マスク統合部５は、上述する対象領域を生成するように、仮全体マスクに対する画像処理を行う。マスク統合部５は、例えば、仮全体マスクに対して、膨張処理、縮小処理、クロージング処理、オープニング処理、穴埋め処理、小領域削除処理などの画像処理を行うことで各対象領域を生成してもよい。このようにすることで、組織標本画像中の計測対象を、例えば、癌領域などの意味ある領域にまとめることができる。
【００３２】
細胞核数計測部６は、組織領域切り出し部３が切り出した画像（すなわち、画像Ｓ００３）ごとに、染色強度別の細胞核数を計測する。以下、細胞核数計測部６が計測した染色強度別の細胞核数を示す情報を、細胞核数計測情報Ｓ００６と記す。なお、染色強度別の細胞核数は、細胞核数計測部６が計測する情報の一例である。細胞核数計測部６は、組織領域切り出し部３が切り出した画像に含まれる計測対象物に関する他の情報を計測してもよい。
【００３３】
結果表示部７は、癌などの計測対象領域ごとに結果を出力する。具体的には、結果表示部７は、細胞核数計測部６が計測した情報と全体マスクとから、対象領域ごとに計測対象物に関する情報を算出する
【００３４】
結果表示部７は、例えば、組織全領域に対応する全体マスクＳ００５と、細胞核数計測情報Ｓ００６とをもとに、染色強度別の細胞核数の計測結果と陽性率とを癌領域ごとに算出する。そして、結果表示部７は、算出結果を示す結果画像Ｓ００７を表示する。結果表示部７は、対象領域ごとの計測対象物に関する情報を、例えば、組織標本をスキャンした画像Ｓ００１に対象領域を重畳させて出力してもよい。
【００３５】
図２は、結果表示部７による出力結果画像Ｓ００７の一例を示す説明図である。図２に示す例では、計測対象物（例えば、癌）の対象領域が２つ存在し、それぞれの対象領域ごとおよび全体領域について陽性率を対応づけて表示した例を示している。
【００３６】
このように、本実施形態では、計測対象が意味のある領域にまとめられる。そのため、領域ごとに、染色強度別細胞核数や陽性率を表示することで、組織全領域における癌領域ごとの染色不均一性（ｈｅｔｅｒｏｇｅｎｅｉｔｙ）を観察することが可能になる。また、本実施形態では、計測対象領域の大きさが特定されるため、組織全領域中の計測対象領域のみについて、陽性率の面積分布（ヒストグラム）を得ることができる。
【００３７】
組織領域認識部２と、組織領域切り出し部３と、マスク生成部４と、マスク統合部５と、細胞核数計測部６と、結果表示部７とは、プログラム（画像計測用プログラム）に従って動作するコンピュータのＣＰＵによって実現される。例えば、プログラムは、画像計測装置の記憶部（図示せず）に記憶され、ＣＰＵは、そのプログラムを読み込み、プログラムに従って、組織領域認識部２、組織領域切り出し部３、マスク生成部４、マスク統合部５、細胞核数計測部６および結果表示部７として動作してもよい。また、組織領域認識部２と、組織領域切り出し部３と、マスク生成部４と、マスク統合部５と、細胞核数計測部６と、結果表示部７とは、それぞれが専用のハードウェアで実現されていてもよい。
【００３８】
次に、本実施形態の画像計測装置の動作を説明する。図３は、組織標本をスキャンした画像から計測対象を示す領域ごとに陽性率を表示する動作の例を示す説明図である。
【００３９】
スキャンした画像Ｓ００１が入力されると、組織領域認識部２は、画像Ｓ００１から組織領域Ｓ００２を認識する。
【００４０】
組織領域切り出し部３は、組織領域Ｓ００２から予め定めた大きさの一定倍率の画像Ｓ００３を抽出する。
【００４１】
マスク生成部４は、抽出された画像Ｓ００３ごとにマスクＳ００４を生成する。
【００４２】
マスク統合部５は、画像Ｓ００３ごとに生成されたマスクＳ００４を統合して仮全体マスクＳ００８を生成する。マスク統合部５は、仮全体マスクＳ００８のマスクされていない近接する部分をまとめて、１つ以上の対象領域Ｓ００９とした全体マスクＳ００５を生成する。言い換えると、各対象領域Ｓ００９は、仮全体マスクＳ００８において白く示された部分に対し膨張処理などの画像処理を行って生成された領域であり、全体マスクＳ００５に含まれる。
【００４３】
一方、細胞核数計測部６は、各画像Ｓ００３に含まれる計測対象物に関する情報を計測する。細胞核数計測部６は、例えば、各画像Ｓ００３に含まれる染色強度別の細胞核数を計測して、細胞核数計測情報Ｓ００６を生成する。
【００４４】
結果表示部７は、計測された情報（細胞核数計測情報Ｓ００６）と、全体マスクＳ００５とから、対象領域Ｓ００９ごとに、計測対象物（例えば、癌など）に関する情報を算出する。結果表示部７は、例えば、染色強度別の細胞核数の計測結果と陽性率とを対象領域Ｓ００９ごとに算出する。そして、出力結果部７は、算出結果を出力する。
【００４５】
以上のように、本実施形態によれば、組織領域認識部２が、組織標本をスキャンした画像Ｓ００１（例えば、ＩＨＣ標本の画像）から組織領域Ｓ００２を認識し、組織領域切り出し部３が、組織領域Ｓ００２から予め定めた大きさの一定倍率の画像Ｓ００３を抽出する。マスク生成部４は、抽出された画像Ｓ００３ごとに、組織領域から非計測対象物領域を除くためのマスクＳ００４を生成し、マスク統合部５が、そのマスクＳ００４を統合した仮全体マスクＳ００８を生成する。
【００４６】
また、マスク統合部５は、仮全体マスクＳ００８におけるマスクされていない部分のうち近接する部分をまとめて１つ以上の対象領域Ｓ００９とした全体マスクＳ００５を生成する。
【００４７】
一方、細胞核数計測部６は、組織領域から抽出された画像Ｓ００３ごとに、その画像に含まれる計測対象物（例えば、癌など）に関する情報Ｓ００６（例えば、染色強度別の細胞核数）を計測し、結果表示部７が、計測された情報Ｓ００６と全体マスクＳ００５とから、対象領域Ｓ００９ごとに計測対象物に関する情報（例えば、染色強度別の細胞核数の計測結果および陽性率）を算出する。
【００４８】
以上のような構成により、組織標本を表す画像から、ユーザにとって理解しやすい態様で対象物の領域が示す内容を計測できる。
【００４９】
具体的には、本実施形態の画像計測装置を用いることで、計測したい領域を事前に選ぶ必要がないため、ユーザの手間を省くことができる。また、ユーザ間で計測対象領域に差がなくなるため、判定のぶれがなくなり、対象物の定量的な計測が可能になる。また、癌領域ごとの染色不均一性（ｈｅｔｅｒｏｇｅｎｅｉｔｙ）をＩＨＣ標本上に明示できるとともに、組織全領域中で癌領域のみについて陽性率の面積分布（ヒストグラム）を算出できるので、病理医が治療法を判断する支援をすることができる。
【００５０】
例えば、図５に示すような結果の場合、細胞核数や陽性率を表示するには領域の単位が細かすぎるため、ユーザにとっては、その内容を理解することが困難である。そのため、結果として、計測対象の領域（分布）は参照できても、細胞核数や陽性率は、実質的には、１枚の標本全体もしくは指定した領域全体を対象とした１つの値しか利用することができない。
【００５１】
しかし、本実施形態では、図２に例示する画像を表示することが可能である。このように、本実施形態では、組織標本を表す画像から、ユーザにとって理解しやすい態様で対象物の領域が示す内容を表示することができる。
【００５２】
次に、本発明の概要を説明する。図４は、本発明による画像計測装置の概要を示すブロック図である。本発明による画像計測装置は、計測対象物（例えば、癌など）と非計測対象物とを含む組織を染色して撮像した画像（例えば、ＩＨＣ標本の画像）から組織領域を認識する組織領域認識手段８１（例えば、組織領域認識部２）と、組織領域から予め定めた大きさの一定倍率の画像を抽出する部分画像抽出手段８２（例えば、組織領域切り出し部３）と、抽出された画像ごとに、非計測対象物が存在する領域である非計測対象領域を組織領域から除くためのマスクを生成するマスク生成手段８３（例えば、マスク生成部４）と、画像ごとに生成されたマスクを統合した仮全体マスクを生成し、その仮全体マスクにおけるマスクされていない部分のうち近接する部分をまとめて１つ以上の対象領域とした全体マスクを生成する全体マスク生成手段８４（例えば、マスク統合部５）と、部分画像抽出手段８２によって抽出された画像ごとに、その画像に含まれる計測対象物に関する情報（例えば、染色強度別の細胞核数）を計測する計測手段８５（例えば、細胞核数計測部６）と、計測された情報と全体マスクとから、対象領域ごとに計測対象物に関する情報（例えば、染色強度別の細胞核数の計測結果および陽性率）を算出する領域情報算出手段８６（結果表示部７）とを備えている。
【００５３】
そのような構成により、組織標本を表す画像から、ユーザにとって理解しやすい態様で対象物の領域が示す内容を計測できる。
【００５４】
また、計測手段８５は、部分画像抽出手段８２によって抽出された画像ごとに、染色強度別の細胞核数を計測してもよい。そして、領域情報算出手段８６は、計測された染色強度別の細胞核数と全体マスクとから、対象領域ごとに染色強度別の細胞核数の計測結果を算出してもよい。
【００５５】
さらに、領域情報算出手段８６は、計測された染色強度別の細胞核数と全体マスクとから、対象領域ごとに陽性率を算出してもよい。
【００５６】
また、画像計測装置は、領域情報算出手段８６により算出された対象領域ごとの計測対象物に関する情報を、組織を染色して撮像した画像とともに、対象領域に対応づけて出力する出力手段（例えば、結果表示部７）を備えていてもよい。
【００５７】
以上、実施形態及び実施例を参照して本願発明を説明したが、本願発明は上記実施形態および実施例に限定されるものではない。本願発明の構成や詳細には、本願発明のスコープ内で当業者が理解し得る様々な変更をすることができる。
【００５８】
この出願は、２０１２年４月２３日に出願された日本特許出願２０１２−０９７５６１を基礎とする優先権を主張し、その開示の全てをここに取り込む。
【産業上の利用可能性】
【００５９】
本発明は、染色された組織標本の画像から、組織に含まれる対象物の情報を計測する画像計測装置に好適に適用される。
【符号の説明】
【００６０】
１  画像蓄積部
２  組織領域認識部
３  組織領域切り出し部
４  マスク生成部
５  マスク統合部
６  細胞核数計測部
７  結果表示部
【図１】
0005924406.tif 000002
【図２】
0005924406.tif 000003
【図３】
0005924406.tif 000004
【図４】
0005924406.tif 000005
【図５】
0005924406.tif 000006